(57)【要約】【課題】  ノートパソコンの大きさにかかわらず、快適にノートパソコンを使用できる角度に調整可能であるとともに、パソコン本体からの熱を逃がし、且つ使い勝手の良いノートパソコン用ラックを提供する。【解決手段】  基台２上に取り付けられる支持部材３は、左右両端に回動軸２１を有する支持部２７と、回動軸２１を中心として回動可能な一対の後方支持脚２２と、支持部２７から連続して前方へ延びる前方支持脚２３とを有する。後方支持脚２２は、基端が回動軸２１に取り付けられ先端に後方係止部２４を備え、前方支持脚２３は、先端に前方係止部（係止軸２６）を備え面内方向に切り欠きが形成されている。略平板状の基台２には、後方係止部２４を回動自在且つ着脱自在に係止する後方位置固定部４が、前後方向に複数個所設けられる。後方位置固定部４よりも前方に、前方係止部２６を係止可能な被係止部（凹部１３）が前後方向に複数形成された位置調整部材５が設けられている。【選択図】      図１
0003133889.tif 000002
【実用新案登録請求の範囲】
【請求項１】
略平板状の基台と、前記基台上に取り付けられる支持部材とからなり、
前記支持部材は、左右両端に回動軸を有する支持部と、前記回動軸を中心としてそれぞれ回動可能な一対の後方支持脚と、前記支持部から連続して前方へ延びる前方支持脚とを有し、前記後方支持脚は基端が前記回動軸に取り付けられるとともに先端に後方係止部を備え、前記前方支持脚は先端に前方係止部を備えるとともに面内方向に切り欠きが形成され、
前記基台には、前記後方係止部を回動自在且つ着脱自在に係止する後方位置固定部が、前記基台の前後方向に複数個所設けられ、前記後方位置固定部よりも前方に、前記前方係止部を係止可能な被係止部が前後方向に複数形成された位置調整部材が設けられていることを特徴とするノートパソコン用ラック。
【請求項２】
前記位置調整部材に隣接して、前記前方係止部の端部を内接させて前後方向に案内するガイド部材が設けられていることを特徴とする請求項１に記載のノートパソコン用ラック。
【請求項３】
前記前方係止部が係止軸であるとともに前記被係止部が凹部であり、前記前方支持脚の先端部に、前記凹部間に形成される凸部を挿通可能な通孔が形成されていることを特徴とする請求項１または２に記載のノートパソコン用ラック。
【請求項４】
前記基台の下面にターンテーブルが軸支されていることを特徴とする請求項１乃至３のいずれかに記載のノートパソコン用ラック。
【考案の詳細な説明】
【技術分野】
【０００１】
本考案は、使用時のノートパソコンを支持するためのラックに関するものである。
【背景技術】
【０００２】
ノートパソコンは、キーボードに傾斜が設けられていないため、使用時にキーボードを見る際には、上方からのぞき込む体勢となる。則ち上体を少し前傾させなければならないため、首などが疲れやすい。また、作業台と平行なキーボードの操作は、手首にも負担がかかるため、長時間作業を行うと疲労が蓄積しやすい。
【０００３】
そのため、例えば特許文献１において、角度調整板を備えたパソコン台が開示されている。これは、角度調整用の複数の溝を設けた板状の土台の上に、く字状に折り曲げ可能な板を配置し、板の一辺を土台の溝のうち適宜個所を選択して差し込むことにより、板の手前側の面に適宜傾斜を形成するものである。
【特許文献１】実開平６−２５９１６号公報
【考案の開示】
【考案が解決しようとする課題】
【０００４】
近年、ノートパソコンはさまざまな大きさのものが市販されており、それぞれの大きさのノートパソコンに応じた角度調整が要求される。ところが、前記特許文献１のパソコン台においては、パソコンを載置する板の大きさが決まっているため、汎用性に乏しい。
【０００５】
一方、ノートパソコンは、キーボードの下部にハードディスク等を備えた本体部が内蔵されており、長時間使用すると、ノートパソコンの底部に熱がこもる。このような過熱状態が継続すると、使用中に電源が切れるというトラブルが生じたり、本体部の寿命が短くなる場合がある。しかしながら、前記特許文献１のパソコン台は、平板状の板の上にノートパソコンを載せて使用するため、ノートパソコンのキーボード下部と板の間に熱がこもる。
【０００６】
さらに、前記パソコン台は、土台の後方に設けた溝に調整板を差し込んで角度調整を行うため、例えばノートパソコンを載置した後で角度を調整するのは極めて困難であり、使い勝手が良くない。
【０００７】
本考案は、このような従来の問題点を考慮してなされたものであり、ノートパソコンの大きさにかかわらず、快適にノートパソコンを使用できる角度に調整可能であるとともに、パソコン本体からの熱を逃がし、且つ使い勝手の良いノートパソコン用ラックの提供を目的とする。
【課題を解決するための手段】
【０００８】
上記問題を解決するため、請求項１の考案は、略平板状の基台と、前記基台上に取り付けられる支持部材とからなり、前記支持部材は、左右両端に回動軸を有する支持部と、前記回動軸を中心としてそれぞれ回動可能な一対の後方支持脚と、前記支持部から連続して前方へ延びる前方支持脚とを有し、前記後方支持脚は基端が前記回動軸に取り付けられるとともに先端に後方係止部を備え、前記前方支持脚は先端に前方係止部を備えるとともに面内方向に切り欠きが形成され、前記基台には、前記後方係止部を回動自在且つ着脱自在に係止する後方位置固定部が、前記基台の前後方向に複数個所設けられ、前記後方位置固定部よりも前方に、前記前方係止部を係止可能な被係止部が前後方向に複数形成された位置調整部材が設けられていることを特徴とするノートパソコン用ラックを提供するものである。
【０００９】
上記構成によれば、後方支持脚は、基台の後方位置固定部と支持部材の支持部の両方に対して回動自在なので、後方支持脚の先端を後方位置固定部に位置固定した状態で、支持部から連続する前方支持脚の先端位置を前後方向に移動させることにより、支持部材が基台上で起伏自在となる。したがって、前後方向に複数の被係止部が形成された位置調整部材の適宜被係止部を選択して前方支持脚の前方係止部を係止し、支持部の高さを調整することができる。この支持部にノートパソコン後部を載せ、ノートパソコン前端を基台上に載せることにより、ノートパソコンを所望する傾斜に載置できる。また、後方支持脚を後方位置固定部に係止したままで前方支持脚を前方に引き寄せることにより、支持部材全体が基台上に伏せた状態で収納される。
【００１０】
さらに、前方支持脚に面内方向の切り欠きが形成されていることにより、支持部材とノートパソコン底部との接触部が少なくなり、パソコン本体から発生する熱を逃がすことができる。
【００１１】
また、後方位置固定部を複数個所設けることにより、大型のノートパソコンだけでなく、小型のモバイル用のノートパソコンでも、所望する角度に調整できる。また、後方位置固定部の間隔と位置調整部材の被係止部の間隔とを適宜設定することにより、傾斜角の微調整を行うことが可能となる。
【００１２】
請求項２の考案は、請求項１の考案において、前記位置調整部材に隣接して、前記前方係止部の端部を内接させて前後方向に案内するガイド部材が設けられていることを特徴とする。
【００１３】
この構成により、前方係止部をガイド部材に沿って円滑に移動させることができる。
【００１４】
請求項３の考案は、請求項１または２の考案において、前記前方係止部が係止軸であるとともに前記被係止部が凹部であり、前記前方支持脚の先端部に、前記凹部間に形成される凸部を挿通可能な通孔が形成されていることを特徴とする。
【００１５】
この構成により、係止軸を凹部にはめこむだけで、容易に係止される。しかも、凹部間に形成される凸部が通孔に挿通されるので、凸部が邪魔になることなく、係止軸が凹部の底部に確実に係止される。
【００１６】
請求項４の考案は、請求項１乃至３のいずれかの考案において、前記基台の下面にターンテーブルが軸支されていることを特徴とする。
【００１７】
この構成により、基台を持ち上げることなく３６０度任意の方向に向けることができる。
【考案の効果】
【００１８】
請求項１の考案によると、さまざまな大きさのノートパソコンに応じて、容易な操作で傾斜を調整することができ、ノートパソコンを楽な姿勢で使用することができる。したがって、長時間の作業でも疲労が軽減する。また、支持部材は基台上に平面状に伏せることができるので、使用しないときに多くのスペースを必要とせず、持ち運びにも便利である。さらに、ノートパソコン本体が発生する熱を逃がすことができるため、例えば電源が切れる等のトラブルを防ぐ効果を有する。
【００１９】
請求項２の考案によると、前方係止部を移動させやすく、前後方向の調整がさらに容易になる。
【００２０】
請求項３の考案によると、前方支持脚の先端を位置調整部材に容易に係止させることができる。
【００２１】
請求項４の考案によると、例えば会議等の際に複数人数でモニタを見る場合、ノートパソコンを持ち上げることなくモニタを所定の方向に向けることができる。
【考案を実施するための最良の形態】
【００２２】
以下、本考案の実施の形態を、図を参照して説明する。
【００２３】
図１〜図８は、本考案の実施の形態を示す。図１は本考案に係るノートパソコン用ラックの分解斜視図であり、図２は使用時の例を示す斜視図である。図３〜図５は、各部の機構を示す。図６はノートパソコンを載置した使用例を示す側面図である。図７は本考案のノートパソコン用ラックの未使用時の状態を示す。図８は基台の裏面を示す。尚、本明細書中において、使用時における使用者の手前側を前方、奥側を後方と記す。
【００２４】
本考案のノートパソコン用ラック１は、基台２と基台２に起伏自在に取り付けられる支持部材３とからなる。基台２および支持部材３は、例えばＡＢＳ樹脂等の合成樹脂の薄板により形成され、外周や適宜個所にリブを形成することにより、強度が保持されている。
【００２５】
図１に示すように、基台２は、略平板状であり、前方側の一辺に、上方へ突出する立ち上がり部７が設けられる。立ち上がり部７の内側、則ちノートパソコンを載置したときにノートパソコンの前面と接する保持面１６の適宜位置に、滑り止め材８が貼り付けられる。滑り止め材８は、例えば天然ゴム等からなる薄いシート状のものが用いられる。
【００２６】
基台２の後部には、左右対称位置に、後方位置固定部４が前後方向に複数個所、例えば図示するように３個所ずつ設けられている（４ａ，４ｂ，４ｃ）。各後方位置固定部４ａ，４ｂ，４ｃには、軸１１が基台２の表面よりも少し上方に位置するように取り付けられている。また、後述する支持部材３の後方係止部２４を軸１１に係止した際に、後方係止部２４が軸１１を中心として回動するのを妨げないように、軸１１の下部に、それぞれ孔１２があけられている。
【００２７】
また、基台２には、前後方向に多数の凹部１３が形成された位置調整部材５が、左右対称位置に設けられている。凹部１３は、側面形状が半円弧状である。左右の位置調整部材５の外側には、それぞれ庇部１５を有するガイド部材６が形成されている。ガイド部材６は、例えば基台２の裏面からの型押しにより容易に形成することができる。位置調整部材５及びガイド部材６は、後方位置固定部４よりも前方寄りの位置に設けられる。尚、図示の形態においては、後方位置固定部４が位置調整部材５よりも左右方向の外側に配設されているが、位置調整部材５の方を外側に配設しても構わない。
【００２８】
支持部材３は、左右両端に回動軸２１を有する支持部２７と、左右の回動軸２１を中心としてそれぞれ回動可能な一対の後方支持脚２２と、支持部２７から連続して前方へ延びる前方支持脚２３とを有する。
【００２９】
後方支持脚２２は、基端部２２ａが回動軸２１に回動可能に取り付けられ、先端には、基台２の後方位置固定部４の軸１１に回動可能に係止される後方係止部２４を備える。
【００３０】
支持部２７は、半円形の断面形状を有し、適宜個所、例えば図示するように左右両端付近に、前述の滑り止め材８と同様の滑り止め材２８が貼付されている。
【００３１】
前方支持脚２３は、後方支持脚２２よりも内側に形成され、基端は、支持部２７の左右方向のほぼ全長部分から連続して成形されている。前方支持脚２３は先端部２５が左右両端側へ分岐し、前方中央に切り欠きが形成されている。先端部２５は、さらに先端が二股に分かれていて、その先端に係止軸２６を備えている。係止軸２６は、円形断面の半分を、先端部２５よりも突出させ、左右両側の先端部２５，２５よりもそれぞれ左右外側方向に突出した端部２６ａを有する。先端部２５の先端側中央には、通孔２５ａが形成されている。
【００３２】
上記の構成で、支持部材３の後方支持脚２２の両端部がそれぞれ回動可能に取り付けられることにより、後方支持脚２２の先端を後方係止部２４に位置固定して前方支持脚２３を前後方向に移動させると、支持部材３全体が起伏し、ノートパソコンを支持する支持部２７の高さが上下動する。
【００３３】
尚、基台２の後方位置固定部４と後方係止部２４との係止手段は、上記の例に限らず、図示した例とは逆に後方係止部が軸状であっても構わない。また、前方支持脚２３の先端と位置調整部材５との係止手段も、上記の形状に限らない。
【００３４】
以下、本考案のノートパソコン用ラック１の使用方法について説明する。
【００３５】
先ず、前方支持脚２３の両側の係止軸２６の端部２６ａが、左右両側のガイド部材６の庇部１５の下方に収納されていることを確認する。外れている場合には収納する。
【００３６】
次に、載置するノートパソコンの大きさに応じて、後方支持脚２２の後方係止部２４を取り付ける基台２の後方位置固定部４を選択する。図２に示す例は、最前列の後方位置固定部４ｃに取り付けた場合であり、小型のノートパソコンを載置する場合に適する。
【００３７】
図３は、図２のＡ部の係止機構を示す拡大断面図であり、基台２の側方から見たものである。後方係止部２４は断面方向に適宜弾性を有し、取り付けおよび取り外しの際には、図３（Ａ）に示すように、開放部を広げて軸１１に係止する。後方係止部２４は、軸１１に係止されると、図３（Ｂ）に示すように、軸１１の外周に沿って回動することができる。
【００３８】
このようにして後方係止部２４を所定位置の後方位置固定部４に取り付けた状態で、例えば支持部２７に設けられた取っ手２９及び前方支持脚２３の切り欠き部の側面３０等を指でつまんで、前方支持脚２３を少し上方に引き上げる（図４（Ａ））。図４（Ｂ）に示すように、係止軸２６の端部２６ａがガイド部材６の庇部１５に接触したところで、そのまま庇部１５に沿って前後方向にスライドさせる。支持部２７の高さが所望する位置になるように、係止軸２６を係止させる凹部１３の位置を適宜選択し、その凹部１３の位置で前方支持脚２３を離すと（図４（Ｃ））、係止軸２６が所定の凹部１３に係止される。係止軸２６に隣接して、図５に示すように通孔２５ａが設けられているため、凹部１３と凹部１３の間に形成される凸部１４は通孔２５ａ内に納まる。したがって、係止軸２６は凹部１３内に確実に係止される。支持部２７の高さを変更したい場合には、係止軸２６が凹部１３から外れるように軽く引き上げ、端部２６ａをガイド部材６に内接させた状態で庇部１５に沿って前後方向にスライドさせ、適宜位置の凹部１３に再び係止すれば、容易に再調整することができる。この作業は、支持部材３の手前側で行うため、例えばノートパソコンを載置したままでも、容易に行うことができる。このように、極めて簡単な操作を行うだけで、ノートパソコンを所望する傾斜角に載置するノートパソコン用ラック１が得られる。
【００３９】
また、係止軸２６の端部２６ａが、ガイド部材６の庇部１５よりも下方に収納されていることにより、例えばノートパソコンを載せる際に衝撃力が生じた場合等に、前方支持脚２３の先端部２５が上方へ跳ね上がるのを防ぐことができる。
【００４０】
本考案では、後方位置固定部４が、基台２の前後方向に複数個所設けられていることにより、例えば図６（Ａ）に示すように、Ａ４サイズ等の大型のノートパソコン４１の場合には、後方係止部２４を最後列の後方位置固定部４ａに取り付け、また、図６（Ｂ）に示すように、小型のモバイル用ノートパソコン４２の場合には、後方係止部２４を最前列の後方位置固定部４ｃに取り付けて、それぞれ支持部２７の高さを調整することができる。したがって、ノートパソコンのサイズにかかわらず使用できる。
【００４１】
また、各後方位置固定部４ａ，４ｂ，４ｃの間隔と、位置調整部材５の凹部１３の間隔を適宜設定することにより、さらに傾斜角度の微調整を行うこともできる。このように、複数個所の後方位置固定部４ａ，４ｂ，４ｃと位置調整部材５とを組合せて選択することにより、ノートパソコンの大きさや使用者の好み等に合わせて傾斜角度を調整できるので、汎用性に富み、快適な使用環境を実現できる。したがって、ノートパソコンの使用時における肉体的負担を軽減させることができる。
【００４２】
しかも、図６に示すように、ノートパソコン４１，４２の底面と基台２との間に十分な隙間ができるうえ、支持部材３とノートパソコン４１，４２との接触部が少ないので、ノートパソコン本体部が発生する熱を放出することができる。
【００４３】
また、本考案のノートパソコン用ラック１は、図７に示すように、後方係止部２４を基台２の最後列の後方位置固定部４ａに係止して前方支持脚２３を手前側に倒すことにより、支持部材３全体が略平板状に基台２上に伏せられる。これにより、使用しないときには小さいスペースに収納することができ、邪魔にならない。また、持ち運びにも便利である。
【００４４】
さらに、基台２の裏側には、図８に示すように、ターンテーブル９が軸支されている。ターンテーブル９の裏面には、複数個所、例えば図示するように４個所に、前述の滑り止め材８，２８（図１）と同様の素材からなる滑り止め材１８が貼り付けられて、基台２の作業台に対する位置ずれを防止する。このターンテーブル９により、ノートパソコンを載置したままで、持ち上げることなく、基台２が３６０度回転可能となる。
【産業上の利用可能性】
【００４５】
本考案は、さまざまな大きさのノートパソコンを使用する際のラックとして適用できる。また、底部が発熱する携帯型ＤＶＤプレーヤ等の機器のラックとしても利用可能である。
【図面の簡単な説明】
【００４６】
【図１】本考案に係るノートパソコン用ラックを示す分解斜視図。
【図２】図１の使用時の状態を示す斜視図。
【図３】図２のＡ部の機構を示す説明図。
【図４】図２のＢ部の機構を示す説明図。
【図５】図２のＣ部の拡大図。
【図６】本考案の使用時の状態を示す側面図。
【図７】本考案の未使用時の収納状態を示す斜視図。
【図８】図１の基台の底面図。
【符号の説明】
【００４７】
１    ノートパソコン用ラック
２    基台
３    支持部材
４    後方位置固定部
５    位置調整部材
６    ガイド部材
７    立ち上がり部
８，１８，２８  滑り止め材
９    ターンテーブル
１１  軸
１３  凹部
１４  凸部
１５  庇部
２１  回動軸
２２  後方支持脚
２３  前方支持脚
２４  後方係止部
２５  先端部
２６  係止軸
２７  支持部
４１，４２  ノートパソコン
【図１】
0003133889.tif 000003
【図２】
0003133889.tif 000004
【図３】
0003133889.tif 000005
【図４】
0003133889.tif 000006
【図５】
0003133889.tif 000007
【図６】
0003133889.tif 000008
【図７】
0003133889.tif 000009
【図８】
0003133889.tif 000010